(57)【要約】      （修正有）【課題】皮革バンドやウレタン・シリコンバンドのように尾錠孔を備えた時計バンド用の三つ折り式中留部材を提供する。【解決手段】中レール２０と外レールと上箱とを三つ折り可能に連結した三つ折り式の時計バンド用中留部材であって、１本のレール材からなる中レール２０が、時計バンド６０の一端に形成された凹部（切り欠き）６１に嵌合し、連結ピン（段ピン７０とＣリング７１）で連結することで接続されることを特徴とする。この接続構造は、当該接続部分が突出せずに腕に当たることがなく、装着性（フィット性）に優れたものとなる。【選択図】図２
0003193884.tif 000002
【実用新案登録請求の範囲】
【請求項１】
中レールと外レールと上箱とを三つ折り可能に連結した三つ折り式の時計バンド用中留部材であって、
中レールは、時計バンドの一端に形成された凹部に嵌合し、連結ピンで連結することで接続されることを特徴とする時計バンド用中留部材。
【請求項２】
中レールと外レールと上箱とを三つ折り可能に連結した三つ折り式の時計バンド用中留部材であって、
中レールは、時計バンドの一端に略コ字形の継手駒を介し、連結ピンで連結することで接続されることを特徴とする時計バンド用中留部材。
【請求項３】
請求項１又は２記載の時計バンド用中留部材を備えたことを特徴とする時計バンド。
【請求項４】
請求項３記載の時計バンドを備えたことを特徴とする腕時計。
【考案の詳細な説明】
【技術分野】
【０００１】
本願考案は、三つ折り可能に連結した三つ折り式の時計バンド用中留部材に関するものである。
【背景技術】
【０００２】
従来、皮革バンドやウレタン・シリコンバンドのように尾錠孔を備えた時計バンド用の三つ折り式中留部材には、特許文献１や特許文献２に開示されたものがある。特許文献１の中留部材は、図４に示すように、下板部材８と中板部材１４と枠部材２８とを備えた中留構造１であって、プッシュボタンケース本体２４が、中板部材１４と挿通枠１８の間に位置し、中板部材１４の他方の端部に、折り畳み可能に連結されている。そして、下板部材８の係止ピン３が、プッシュボタンケース本体２４に係止する構造となっている。符号は、図６のものである。
【０００３】
また、特許文献２の中留部材は、図５に示すように、下板２０と中板３０と上箱５０からなる中留構造１０であって、下板２０に設けられた係止用突起部２１を係止するための中箱４０を、中板３０と上箱５０の間に回動自在に介在させてなることを特徴とするものである。符号は、図７のものである。
【０００４】
【特許文献１】特開２００６−１１５９９２号公報
【特許文献２】特開２００８−０６１８４２号公報
【考案の概要】
【考案が解決しようとする課題】
【０００５】
上記する特許文献１及び特許文献２に開示されている中留部材は、いずれも時計バンドの一端と接続する下板部材８（特許文献１）及び下板２０（特許文献２）が、時計バンドと同じ幅を持つものになっている。これに対して、時計バンドの一端と接続するパーツが時計バンドの幅よりも狭い「中レール」であって、これに時計バンドの幅と同程度の略コ字形の「外レール」及びツク棒を備えた「上箱」からなる三つ折り式の時計バンド用中留部材がある。
【０００６】
この場合、「中レール」が時計バンドの幅よりも狭いので、直接に時計バンドの一端と接続することができず、継手駒を介在させて接続していた。しかし、この継手駒は、時計バンドの一端の両側面を挟むようにして取り付けるものであるために、時計バンドの両側から突出する形となって、装着した際に腕に当たって痛くなるおそれがあった。
【０００７】
そこで、本願考案者は、この不具合を解消し、その装着性に優れた三つ折り式中留部材を提供すべく、鋭意開発・試験を行い、本願考案を完成するに至った。
【課題を解決するための手段】
【０００８】
本願考案の第１の考案は、中レールと外レールと上箱とを三つ折り可能に連結した三つ折り式の時計バンド用中留部材であって、中レールは、時計バンドの一端に形成された凹部に嵌合し、連結ピンで連結することで接続されることを特徴とするものである。
第２の考案は、中レールと外レールと上箱とを三つ折り可能に連結した三つ折り式の時計バンド用中留部材であって、中レールは、時計バンドの一端に略コ字形の継手駒を介し、連結ピンで連結することで接続されることを特徴とするものである。
第３の考案は、上記第１又は第２の考案に係る時計バンド用中留部材を備えたことを特徴とする時計バンドである。
第４の考案は、上記第３の考案に係る時計バンドを備えたことを特徴とする腕時計である。
【考案の効果】
【０００９】
本願考案によれば、以下のような効果を有する。
（１）１本のレール材からなる中レールが、時計バンドの一端に形成された凹部に嵌合し、連結ピンで連結することで接続されるので、当該接続部分が突出せずに腕に当たることがなく、装着性（フィット性）に優れたものとなる。
（２）１本のレール材からなる中レールが、時計バンドの一端に略コ字形の継手駒を介し、連結ピンで連結することで接続されるので、時計バンドの一端に凹部を形成していない既存の種々のタイプ・サイズの時計バンドに対しても対応（取り付け）できる。
【図面の簡単な説明】
【００１０】
【図１】本願考案に係る時計バンド用中留部材を示す全体説明図。
【図２】本願考案に係る時計バンド用中留構造を示す部分説明図（１）。
【図３】本願考案に係る時計バンド用中留構造を示す部分説明図（２）。
【図４】従来例（特許文献１）を示す説明図。
【図５】従来例（特許文献２）を示す説明図。
【考案を実施するための形態】
【００１１】
本願考案の実施形態を図面に基づいて説明する。
図１は、本願考案に係る時計バンド用中留部材を示す全体説明図である。
まず、時計バンド用中留部材１０（中留部材１０）は、中レール２０と外レール３０と上箱４０とを三つ折り可能に連結している。
【００１２】
外レール３０は、一対（２本）のレール３１，３１から構成されており、三つ折り状態で１本のレール材２１からなる中レール２０を内側に収納する収納部３２を有する。また、外レール３０は、中レール２０に設けられた係止用突起部２２を係止するためのプッシュ箱５０を一対（２本）のレール材３１，３１に渡すようにして固定している。
なお、上箱４０は、皮革バンドやウレタン・シリコンバンドの尾錠孔に挿入するツク棒４１を備え、バンドの長さ調整を可能にしながら接続する。
【００１３】
図２及び図３は、中レール２０と時計バンドの構造を図示した部分説明図である。
図２で図示する構造は、１本のレール材２１からなる中レール２０が、時計バンド６０の一端に形成された凹部（切り欠き）６１に嵌合し、連結ピン（ここでは、段ピン７０とＣリング７１を使用しているが、これに限定されるものではない。以下、同じ）で連結することで接続されるものである。この接続構造は、当該接続部分が突出せずに腕に当たることがなく、装着性（フィット性）に優れたものとなる。
【００１４】
図３で図示する構造は、１本のレール材２１からなる中レール２０が、時計バンド６５の一端に略コ字形の継手駒８０を介し、連結ピンで連結することで接続されるものである。この接続構造は、時計バンドの一端に凹部を形成していない既存の種々のタイプ・サイズの時計バンドに対しても対応（取り付け）できる汎用性の高いものとなる。
【産業上の利用可能性】
【００１５】
本願考案は、皮革バンドやウレタン・シリコンバンドのように尾錠孔を備えた時計バンドの三つ折れ式の中留構造として幅広く利用できるものである。
【符号の説明】
【００１６】
１０  時計バンド用中留部材（中留部材）
２０  中レール
２１  レール材
２２  係止用突起部
３０  外レール
３１  レール材
３２  収納部
４０  上箱
４１  ツク棒
５０  プッシュ箱
５１  係止部
５２  プッシュボタン
６０  時計バンド（凹部あり）
６１  凹部
６５  時計バンド（凹部なし）
７０  段ピン
７１  Ｃリング
８０  継手駒
【図１】
0003193884.tif 000003
【図２】
0003193884.tif 000004
【図３】
0003193884.tif 000005
【図４】
0003193884.tif 000006
【図５】
0003193884.tif 000007